(57)【要約】【課題】靴を履いた状態でフィット感がある一方で、歩行状態における足先の締付けが小さく、これによって外反母趾などの症状を防止ないしは改善できるようにした靴、特にパンプスタイプの靴を提供する。【解決手段】パンプスタイプの靴の靴底の少なくとも足先部分に縦方向にスリット１６を形成し、さらに靴底を構成する中座３における少なくとも足先部分の上面には、伸縮性の織布１５を一体に層状に接着して設け、該中座３における中間部または底面に積層された芯板１４の少なくとも足先部分に縦方向に沿ってスリットを形成し、靴を履いた状態で、前記スリット１６が広がることにより甲幅が広がるようにしたことを特徴とする。【選択図】        図１
2004180746.tif 000002
【特許請求の範囲】
【請求項１】
靴底の少なくとも足先部分に縦方向にスリットを形成し、靴を履いた状態で、前記スリットが広がることにより甲幅が広がるようにしたことを特徴とする靴。
【請求項２】
靴底の少なくとも足先部分において、その上面と底面の食違い位置に縦方向に沿って互いに相手側に到達しない切込み状のスリットを形成したことを特徴とする靴。
【請求項３】
靴底を構成する本底を非弾性系素材により形成した靴において、少なくともその足先部分に、縦方向に沿ってその上下面に貫通するスリットを形成したことを特徴とする靴。
【請求項４】
靴底を構成する中座における少なくとも足先上面には伸縮性の織布を設け、該中座における中間部または底面に積層された芯板の少なくとも足先部分に縦方向に沿ってスリットを形成したことを特徴とする請求項１乃至３のいずれか１項に記載の靴。
【請求項５】
前記スリットは、略ジグザグ形状であることを特徴とする請求項１乃至４のいずれか１項に記載の靴。
【発明の詳細な説明】
【０００１】
【発明の属する技術分野】
本発明は、パンプスタイプの靴に適応して有用な靴の改良に関するものである。本発明は、サンダル、スリッパの類、紳士靴など、あらゆるタイプの靴に適応できる。
【０００２】
【従来の技術】
一般に、女性用のパンプスタイプの靴において、外反母趾が問題となっている。外反母趾は靴先における足指の幅に対して靴の幅サイズが小さく、足先を踏出しした際に靴の上部周囲を覆う甲皮が親指と小指間を強く締付けることによって生ずる足指の変形現象であり、かつこれに伴う足先の痛みや歩行困難が指摘されている。
この外反母趾を防止するための対策としては、受注により使用者の足の各部を計測した上で個別生産される靴を選択するか、または甲幅の広い靴や、あるいは自分の足よりもサイズが一回り大きな靴を選択するなどの手段がある。
【０００３】
【発明が解決しようとする課題】
しかしながら、受注生産品は高額商品であり、一般的でない。甲幅の広い靴は、足先のスタイルなどデザイン上の問題や、これを履いた状態でのフィット感がないなどの点において敬遠されているのが実状であり、市場に出回っている種類数量ともに少なく、選択の余地が少ない。
また、一回り大きな靴は、ルーズであるため脱げやすく、かえって歩きづらいうえに、足先幅の小さな同じデザインの靴を選択した場合には外反母指を必ずしも解消できるものでない。
【０００４】
本発明は、以上の課題を解決するものであって、その目的は、靴を履いた状態でフィット感がある一方で、歩行状態における足先の締付けが小さく、これによって外反母趾などの症状を防止ないしは改善できるようにした靴を提供するものである。
【０００５】
【課題を解決するための手段】
このため、本発明の靴１は、図の実施の形態に示すように、靴底の少なくとも足先部分に縦方向にスリット１６を形成し、靴を履いた状態で、前記スリット１６が広がることにより甲幅が広がるようにしたことを特徴とする。
【０００６】
また、靴底を構成するゴム質の本底２の少なくとも足先部分において、その上面と底面の食違い位置に縦方向に沿って互いに相手側に到達しない切込み状のスリット１６を形成した。
【０００７】
さらに、図６に示すように、本底２０に非弾性系素材が用いられている場合に、少なくとも足先部分に、縦方向に沿って、その上下面を貫通するスリット２１を形成した。
【０００８】
また、さらに靴底を構成する中座３における少なくとも足先部分の上面には、伸縮性の織布１５を一体に層状に接着して設け、該中座３における中間部または底面に積層された芯板１４の少なくとも足先部分に縦方向に沿ってスリット１７を形成した。
【０００９】
以上の靴１、特にパンプスによれば、歩行時、踏出しによる足先の着地により靴底に荷重が加わり、甲皮５に幅方向の引張り力が生ずると、その本底２の弾性に抗してスリット１６が開き、またこれと一体の芯板１４のスリット１７が開いて幅が広がることにより、足先が甲皮５により締付けを受けることがない。また、足が上がると、本底２の弾性復帰力により再びスリット１６，１７を閉じて元の幅に復帰し、甲皮５に対するフィット感を継続できる。
【００１０】
【発明の実施の形態】
以下、本発明の好ましい実施の形態につき、添付図面を参照して詳細に説明する。図１乃至図５は、本発明の第一実施形態を示す。図１は本発明の第一実施形態によるパンプスタイプの靴１の靴底部分を示す分解斜視図、図２は以上の靴底を甲皮を組付けて一体に完成した靴１を示している。
【００１１】
図において、靴底は、本底２と、本底２の上面に積層配置される各種部品からなる中座３と、中座３の上面に敷設接着される中敷４とからなっている。本底２の上部周囲に、あらかじめ縫合などにより甲部分の展開形状に形成された甲皮５（図２参照）を取付け、次いで中座３を本底２の上面に配置し、甲皮５の本底２に対する巻き込み位置を中座３と本底２間に挟持固定して立体造形し、しかる後中敷４を中座３の上面に敷設し接着することで、図２に示す靴１が完成する。
以上の組立にはゴム系接着剤などに加え、複数の鋲、鳩目、あるいはこれに加えて縫製などにより行われる。
【００１２】
前記本底２は、硬質発泡ゴムなどパンプスとしての用途に適した硬度、弾性を備えたゴム質弾性素材から構成され、足形に形成された底板６と、底板６の後部上面に予め一体に貼着されたヒールブロック７とからなっている。
【００１３】
前記中座３は、踵部８と足先部９に２分されている。このうち、踵部８は硬質紙などを踵下面周囲を包囲するようにして曲面状に成形した踵型材１０と、踵型材１０の上面に鳩目１１を介して固定されるゴム製クッション材１２と、クッション材１２の上面に貼着される織布１３からなり、これら部材が積層された構造である。
また足先部９は、フェルトなどからなり、かつ周縁を本底２および甲皮５の巻込み端縁に鋲打などによって連結され、後部を前記クッション材１２の先端側に形成された段部１２ａに貼着される芯板１４と、芯板１４の上面に貼着される伸縮性織布１５とからなっている。
【００１４】
前記中敷４は、柔らかな皮革を足形にカットしたものであり、その土踏まず内側位置の裏面には図示しないが、クッションパッドを一体に設けて張出させるとともに、パッド装着位置にパンチ加工などによる複数の通気孔４ａを形成している。
【００１５】
以上において、本底２における底板６の足先側には、切込みによりその長手方向に沿って複数のスリット１６が形成され、スリット１６を介して足先での幅方向の弾性変形を容易としている。
図３（ａ），（ｂ）は、本底２の上面および底面を示すもので、底板６の上面側は足先中心に沿って直線状およびその左右対象形であって足形に沿った曲面形状でそれぞれ３本のスリット１６が所定幅間隔をおいて形成されている。
また底板６の底面には多数の滑り止め用凹凸に加え、左右対象に足形に沿った曲面形状でそれぞれ３本のスリット１６が形成されている。
各スリット１６は、図４に断面して示すごとく、上下を貫通することなく切込みにより設けられ、かつ表裏でピッチをずらして設けることで、各スリット１６が上下貫通することを防止し、防水性を確保している。
【００１６】
したがって、以上の各スリット１６により、底板６の長さ方向の弾性をパンプスとして好適な弾性に保持したまま幅方向の弾性を高めたものとなっている。なお、図３，４では説明の容易化のために、各スリット１６の開口部を開いた状態で描いたが、実際には幅方向の力が加わらない限りは閉じられた状態に保持されている。
【００１７】
また、中座３の足先部９において、芯板１４にも複数のスリット１７が形成され、図１の矢印に示すごとく、幅方向の伸縮を可能としている。各スリット１７は足先中心にそった直線状のものと、その左右に足形に沿った曲線状のものと、さらにその最外周にジグザグ型に形成されたものが配置されている。
このうち、最外周のスリット１７をジグザグ型としたのは、前述のごとく芯板１４を甲皮５および底板６に鋲打する際の釘打ちしろを確保するためであって、ジグザグ形の内側に突出する位置に鋲１８を打つことによって、甲皮５に対する固着性を確保すると同時に、伸縮性を得られるようにしている。
また、芯板１４の上面に貼着される伸縮性織布１５は伸縮性なので、スリット１７の伸縮に応じて幅方向に伸縮する。
【００１８】
次に、上記第一実施形態における歩行時の作用を図５を用いて説明する。同図（ａ）は以上の靴１を履いた場合における靴底に荷重がかかっていない状態を示し、各スリット１６，１７は閉じられ、甲皮５により足先が適度なフィット感で拘束されている。
この状態から（ｂ）に示すように、踏出しにより靴底が着地し、足先位置に荷重Ｗが加わると、相対的に足先が幅方向に広がって甲皮５を左右方向に引張る力Ｐが生じ、これに連結された底板６の弾性に抗して底板６、芯板１４の各スリット１６，１７および伸縮性織布１５を左右に押し広げ、結果的に足先を甲皮５により締付けることなく踏出し動作を行えることになる。
踏みだしから再度足先が上がると、甲皮５に対する左右の引張り力Ｐは解消され、底板１６の弾性復帰力により、スリット１６、１７は再び（ａ）のごとく閉じ、足先に対する甲皮５のフィット感を維持できることになる。
【００１９】
図６は、本発明の第二実施形態を示す。図における底板２０は、硬質であって弾性のあまりない非弾性系素材から構成され、各スリット２１は上面から底部に向けて貫通して形成されている。そして、この底板２０の上面にはゴム等の防水シート２２が一体に貼着され、防水性を確保している。
本第二実施形態の場合においても、荷重が加わるとスリット２１が開いて底板２０を左右方向に押し広げ、荷重を除去するとスリット２１を閉じ、元の幅に復帰する動作が繰返される。
【００２０】
【発明の効果】
以上の説明により明らかなように、本発明による靴にあっては、靴を履いた状態でフィット感がある一方で、歩行状態における足先の締付けが小さく、幅方向に拡大されることになり、これによって外反母指などの症状を防止ないしは改善できる。
【図面の簡単な説明】
【図１】本発明の第一実施形態による靴の靴底部分の分解斜視図である。
【図２】同靴底部分に甲皮を組合わせた靴の完成斜視図である。
【図３】（ａ），（ｂ）は本底の上面および底面を示す平面図である。
【図４】図３のＡ−Ａ線における断面図である。
【図５】（ａ），（ｂ）は同靴を履いて歩行する際の作用説明図である。
【図６】本発明の第二実施形態における正断面図である。
【符号の説明】
１  靴
２  本底（靴底）
３  中座（靴底）
４  中敷（靴底）
５  甲皮
６，２０  底板
７  ヒールブロック
８  踵部、９  足先部、１０  踵型材、１１  鳩目、１２  クッション材
１３  織布
１４  芯板
１５  伸縮性織布
１６，２１  スリット（本底側）
１７  スリット（芯板側）
１８  鋲、２２  防水シート
【図１】
2004180746.tif 000003
【図２】
2004180746.tif 000004
【図３】
2004180746.tif 000005
【図４】
2004180746.tif 000006
【図５】
2004180746.tif 000007
【図６】
2004180746.tif 000008